(57)【要約】勧誘電話や電話利用者の個人情報を入手しようとする悪意呼に対して、電話利用者の国籍を知られることなく意思疎通不可能であると発呼者に思わせる携帯電話端末を提供する。  携帯電話端末１００は、マイクロホン６１が取得した利用者の入力音声２０１を分析して音韻情報２０２を出力する音声分析手段２と、音韻情報２０２に含まれる音素または音節をランダムに置換して音声出力指示３０２として出力する音声出力制御手段３と、音声出力指示３０２に基づいて出力音声４０２を出力する音声出力手段４と、出力音声４０２を送話信号５０１として出力する信号切替手段７と、送話信号５０１を無線公衆網へ出力する無線通信手段５を備えることにより、利用者の音声を意味不明の音声に変換して発呼者に聞かせる。【特許請求の範囲】
【請求項１】
入力音声から音韻情報を抽出する音声分析手段と、
前記音韻情報に基づいて音声出力を指示する音声出力制御手段と、
前記指示に基づいて音声を出力する音声出力手段と、
を具備する音声出力装置であって、
前記入力音声の音韻情報に基づいてランダムな音韻の音声を出力するよう構成したことを特徴とする音声出力装置。
【請求項２】
前記音韻情報は前記入力音声に含まれる音素または音節を識別する情報を含み、
前記音声出力制御手段は、前記音素または音節をあらかじめ定めた規則に従って置換することによって、前記出力音声を構成する音素または音節を決定することを特徴とする請求項１記載の音声出力装置。
【請求項３】
前記音韻情報は、前記入力音声が有音かどうかを表す情報を含み、
前記音声出力制御手段は、前記有音かどうかを表す情報に基づいて音声出力を指示することを特徴とする請求項１または２に記載の音声出力装置。
【請求項４】
前記音韻情報は、前記入力音声の基本周波数を表す情報を含み、
前記音声出力制御手段は、前記基本周波数に基づいて前記出力音声の基本周波数を決定することを特徴とする請求項１ないし３のいずれか一項記載の音声出力装置。
【請求項５】
通信処理を実行し、前記出力音声を通信先へ出力する通信手段と、
請求項１ないし４のいずれか一項記載の音声出力装置を具備する音声通信装置。
【請求項６】
入力音声から音韻情報を抽出する第１のステップと、
前記音韻情報に基づいてランダムな音韻の音声出力を指示する第２のステップと、
前記指示に基づいて前記出力音声を出力する第３のステップと、
を有する音声出力方法。
【発明の詳細な説明】
【技術分野】
【０００１】  本発明は、入力音声に処理を施して音声を出力する装置に関し、特に電話通信におけるいたずら電話等の不当または不正な呼びを防止する手段として利用可能な音声出力装置に関する。
【背景技術】
【０００２】  近年、電話を利用して人々を騙し、金銭を指定口座に振り込ませることで不正に利益を得ようとする「振り込め詐欺」が社会問題化している。また、電話を利用して利用者が望まない高額なサービスや商品を売りつけようとする悪徳商法も後を絶たない。このような詐欺行為や勧誘行為等を目的とした悪意呼の他にも、ランダムな電話番号に発呼して利用者に発声させ、利用者の国籍や性別、年代等の個人情報を入手し、詐欺行為や勧誘行為につなげようとする悪意呼もあることが知られている。【０００３】  従来より、いたずら電話等の悪意呼を撃退するための装置が提案されてきた。たとえば、利用者が発する音声のピッチ周期を変換して相手に聞かせる電話装置が提案されている。この発明によれば、女性の利用者が発声しても相手には男性の声に聞こえるため、相手に利用者が男性であると思わせ、いたずら電話をやめさせることができる（例えば特許文献１参照）。【０００４】  また、留守番電話の自動応答機能を利用して「ただ今電話に出ることができません」といった定型メッセージを相手に聞かせることで、いたずら電話をあきらめさせる方法も知られている。
【特許文献１】特開２０００−７８２４６号公報（第６ページ、図１）
【発明の開示】
【発明が解決しようとする課題】
【０００５】  しかしながら、上記従来の装置にあっては、利用者の性別が相手に知られることは避けられるものの、利用者の発話内容が保たれたまま相手に伝わってしまうため、利用者の国籍が判別されてしまい、利用者の個人情報を入手しようとする悪意呼に対する対策としては不十分であるという問題があった。また、詐欺行為や勧誘行為を目的とする者は利用者との意思疎通が可能であることを知り、悪意呼を継続したり繰り返したりしてしまうという問題があった。【０００６】  また、定型メッセージを相手に聞かせる従来の方法の場合、メッセージが利用者本人の発話によるものではないことを相手が容易に判別できるため、相手は利用者本人が電話に出るまであきらめず、悪意呼を何度も繰り返してしまうという問題があった。【０００７】  本発明は、上記従来の課題を解決するものであり、相手に利用者の国籍を知られることがなく、利用者との意思疎通が不可能であると相手に思わせることにより、再度の悪意呼を抑止することのできる音声通信装置を提供することを目的とする。
【課題を解決するための手段】
【０００８】  前記従来の課題を解決するために、本発明の音声出力装置は、入力音声から音韻情報を抽出する音声分析手段と、音韻情報に基づいて音声出力を指示する音声出力制御手段と、音声出力制御手段の指示に基づいて音声を出力する音声出力手段とを用いて入力音声の音韻情報に基づいてランダムな音韻の音声を出力するよう構成した。【０００９】  上記構成により、入力音声を元にして聞く者にとって意味を成さない音声を出力することができるので、相手に利用者の国籍を知られることなく、利用者との意思疎通が不可能であると思わせることができる。【００１０】  また本発明の音声出力装置は、音韻情報が入力音声に含まれる音素または音節を識別する情報を含み、音声出力制御手段は、音素または音節をあらかじめ定めた規則に従って置換することによって出力音声を構成する音素または音節を決定する。【００１１】  上記構成により、入力音声の音素または音節が別の音素または音節に置換された音声が出力されるため、聞く者にとって意味を成さない音声を出力することができる。そのため、相手に利用者の国籍を知られることなく、利用者との意思疎通が不可能であると思わせることができる。【００１２】  また本発明の音声出力装置は、音韻情報が入力音声が有音かどうかを表す情報を含み、音声出力制御手段は、有音かどうかを表す情報に基づいて音声出力を指示する。【００１３】  上記構成により、入力音声が有音かどうかによって音声出力の開始や停止を制御することができるため、利用者や相手の発話のタイミングに合わせた音声出力ができる。そのため、出力音声が定型メッセージや合成音声であると疑う余地を相手に与えず、利用者との意思疎通が不可能であると思わせることができる。【００１４】  また本発明の音声出力装置は、音韻情報が入力音声の基本周波数を表す情報を含み、音声出力制御手段が基本周波数情報に基づいて出力音声の基本周波数を決定する。【００１５】  上記構成により、出力音声の基本周波数の変化が入力音声の基本周波数の変化と統計的に同様の性質を持つ揺らぎを持つようになり、出力音声の自然さが増す。そのため、出力音声が定型メッセージや合成音声であると疑う余地を相手に与えず、利用者との意思疎通が不可能であると思わせることができる。【００１６】  また本発明は、通信処理を実行し出力音声を通信先へ出力する通信手段を更に具備する音声通信装置を構成する。【００１７】  上記構成により、相手に利用者の国籍を知られることがなく、利用者との意思疎通が不可能であると思わせることにより、再度の悪意呼を抑止することのできる音声通信装置を提供することができる。【００１８】  また本発明の音声出力方法は、入力音声から音韻情報を抽出する第１のステップと、前記音韻情報に基づいてランダムな音韻で構成される出力音声の出力を指示する第２のステップと、前記指示に基づいて前記出力音声を出力する第３のステップとを有する。【００１９】  上記方法により、聞く者にとって意味を成さない音声を入力音声に基づいて出力することができるので、相手に利用者の国籍を知られることなく、利用者との意思疎通が不可能であると思わせることができる。
【発明の効果】
【００２０】  本発明によれば、入力した音声の音韻情報をもとにランダムな音韻情報を作り出して音声を出力することにより、悪意呼を発呼した相手に利用者の国籍を知られることがなく、利用者との意思疎通が不可能であると思わせることができ、再度の悪意呼を抑止することができる。
【図面の簡単な説明】
【００２１】
【図１】本発明の実施の形態１における音声出力装置の概略構成図
【図２】本発明の実施の形態１における携帯電話端末の構成図
【図３】本発明の実施の形態１における携帯電話端末の外観図
【図４】本発明の実施の形態１における携帯電話端末の音声出力制御手段が保持している音素置換候補テーブルの内容を説明する図
【図５】本発明の実施の形態１における携帯電話端末の音声出力制御手段の処理手順を示すフローチャート
【図６】本発明の実施の形態１における携帯電話端末の動作を説明する図
【図７】本発明の実施の形態２における携帯電話端末の構成図
【図８】本発明の実施の形態２における携帯電話端末の音声出力手段が保持している音節列テーブルの内容を説明する図
【図９】本発明の実施の形態２における携帯電話端末の音声出力制御手段の処理手順を示す第１のフローチャート
【図１０】本発明の実施の形態２における携帯電話端末の音声出力制御手段の処理手順を示す第２のフローチャート
【図１１】本発明の実施の形態２における携帯電話端末の音声出力制御手段の処理手順を示す第３のフローチャート
【図１２】本発明の実施の形態２における携帯電話端末の第１の動作を説明する図
【図１３】本発明の実施の形態２における携帯電話端末の第２の動作を説明する図
【符号の説明】
【００２２】  １  音声出力装置
２  音声分析手段
３  音声出力制御手段
４  音声出力手段
５  無線通信手段
７  信号切替手段
４１  定型音節保持手段
６１  マイクロホン
６２  スピーカー
９１  信号切替ボタン
９２  オンフックボタン
９３  オフフックボタン
１００，２００  携帯電話端末
２０１  入力音声
２０２  音韻情報
３０２  音声出力指示
３０４  オンフック信号
４０２  出力音声
５０１  送話信号
５０２  受話信号
６１２  マイクロホン出力信号
【発明を実施するための最良の形態】
【００２３】  以下、本発明を実施するための最良の形態について、図面を参照しながら説明する。なお、実施の形態を説明するための全図において、同一の構成要素には同一符号を付与し、重複する説明は省略する。【００２４】  （実施の形態１）
図１は、本発明の実施の形態１における音声出力装置１の概略構成図である。図１において、音声出力装置１は音声分析手段２、音声出力制御手段３、音声出力手段４を備える。【００２５】  音声分析手段２は、入力音声２０１を受け付けて音声分析処理を実行し、入力音声２０１の音韻情報を抽出して音韻情報２０２を出力する。なお、本明細書に記載する「音韻情報」とは音声分析の結果得られる音声の音韻的な情報を指す。例えば、音声を構成する音素や音節を識別するための記号や記号列、音声の強弱や高低を示す情報、基本周波数の情報、有音か無音かを区別するための情報等が本明細書記載の「音韻情報」に相当する。【００２６】  音声出力制御手段３は、音韻情報２０２を受け付け、出力音声４０２の出力を指示する音声出力指示３０２を出力する。音声出力手段４は、音声出力指示３０２に基づいて出力音声４０２を出力する。ここで、音声出力制御手段３は、出力音声４０２がランダムな音韻で構成されるよう、音韻情報２０２に基づいて音声出力指示３０２を出力する。【００２７】  なお、音声分析手段２における音声分析処理には公知の音声分析装置や音声分析方法を用いてよく、従って本明細書中では詳しい説明を省略するものとする。また、音声出力手段４における音声出力処理には公知の音声合成装置や音声合成方法を用いてよく、従って本明細書中では詳しい説明を省略するものとする。【００２８】  図２は、本発明の実施の形態１における音声出力装置１を携帯電話端末１００として構成したときの構成図である。図２において携帯電話端末１００は、図１で説明した構成要素に加えて無線通信手段５、マイクロホン６１、スピーカー６２、信号切替手段７、信号切替ボタン９１、オンフックボタン９２、オフフックボタン９３を備える。【００２９】  音声分析手段２は、入力音声２０１を受け付けて音声分析処理を実行し、入力音声２０１の短時間平均パワーを算出して、受け付けた入力音声２０１が有音区間であるか無音区間であるかを判定し、有音の場合に信号「ＯＮ」を、無音の場合に信号「ＯＦＦ」を音韻情報２０２として出力する。また音声分析手段２は、入力音声２０１にケプストラム分析等を施すことにより音素を識別し、音素記号（たとえば／ｐ／、／ａ／）を音韻情報２０２として出力する。さらに音声分析手段２は、入力音声２０１の３０ミリ秒ごとの基本周波数を表す基本周波数情報を音韻情報２０２として出力する。【００３０】  音声出力制御手段３は、音韻情報２０２に含まれる音素記号と基本周波数情報に基づいて、出力音声４０２が含むべき音素および出力音声４０２の基本周波数を決定し、音声出力指示３０２として出力する。【００３１】  音声出力手段４は、音声出力指示３０２が指示する音素および基本周波数に基づいて出力音声４０２を合成して出力する。また音声出力手段４は、音素が遷移する際の調音結合の処理、および基本周波数変化の補間処理等を行うことにより、出力音声４０２が音声として不自然にならないようにしている。【００３２】  無線通信手段５は、携帯電話端末１００を無線公衆網（図示せず）と接続して通信処理を実行する部分である。無線通信手段５は、送話信号５０１を無線公衆網へ出力する。また無線通信手��５は、無線公衆網から取得した受話信号５０２をスピーカー６２へ出力する。また無線通信手段５は、オフフックボタン９３の操作に基づいて送話信号５０１の無線公衆網への出力および受話信号５０２の無線公衆網からの取得を開始する。また無線通信手段５は、オンフックボタン９２の操作に基づいて無線公衆網との接続を終了する。【００３３】  マイクロホン６１は利用者の音声を電気信号に変換してマイクロホン出力信号６１２を出力する。スピーカー６２は受話信号５０２を空気振動に変換して放音する。信号切替手段７は、２種類の信号を切り替えて出力する手段であり、信号切替ボタン９１の操作により出力音声４０２を送話信号５０１として出力するかマイクロホン出力信号６１２を送話信号５０１として出力するかを切り替えることができる。すなわち、利用者の音声に処理を施した出力音声４０２と、処理を施さないマイクロホン出力信号６１２のうち、どちらの音声を無線公衆網へ出力して通話相手に聞かせるかを、信号切替ボタン９１の操作によって利用者が選択することができるよう構成されている。なお、信号切替手段７は、無線通信手段５による通信処理の初期状態において出力音声４０２を送話信号５０１として出力するようになっている。このことにより、通話相手が悪意を抱いていることを知らずに利用者が思わず発した音声を通話相手に聞かれてしまい、利用者の個人情報が通話相手に知られてしまうという不都合を防ぐことができる。【００３４】  図３は、本発明の実施の形態における携帯電話端末１００の外観を示す図である。信号切替ボタン９１は、筐体下部の側面に配置され、利用者が通話中に手元を見ずに操作できるようになっている。【００３５】  図４は、本発明の実施の形態１における携帯電話端末１００の、音声出力制御手段３が保持している音素置換候補テーブルＴ３１の内容を示す図である。音素置換候補テーブルＴ３１は、音韻情報２０２に含まれる音素を置換するための別の音素の候補を示したテーブルである。音素置換候補テーブルＴ３１の各レコードＲ３１１〜Ｒ３１８は、音韻情報２０２を構成する音素ｐを表す第１フィールドＦ３１１と、音素ｐの替わりとなる別の音素ｐ’の候補を表す第２フィールドＦ３１２とから成る。音声出力制御手段３は音素置換候補テーブルＴ３１に基づき所定の規則（以下、音素置換規則という）に従って音韻情報２０２を構成する音素ｐを音素ｐ’で置換することによって音声出力指示３０２を生成する。すなわち音声出力制御手段３は、音素置換候補テーブルＴ３１中の、音素ｐを第１フィールド（Ｆ３１１）に含むレコードをレコードＲ３１１〜Ｒ３１８の中から探し、該当するレコードの第２フィールド（Ｆ３１２）が示す音素ｐ’の候補からランダムに選択した音素を音素ｐ’とし、音素ｐを音素ｐ’で置換することによって音声出力指示３０２を生成する。【００３６】  図５は、本発明の実施の形態１における携帯電話端末１００の、音声出力制御手段３の処理手順を表すフローチャートである。音声出力制御手段３は、まず音韻情報２０２を取得し（ステップＳ１０１）、音韻情報２０２に含まれている信号が「ＯＮ」であるか「ＯＦＦ」であるかに基づいて入力音声２０１が有音区間であるかどうかを判断する（ステップＳ１０２）。有音区間である場合（ＹＥＳ）、音声出力制御手段３はステップＳ１０３へ進み、無音区間である場合（ＮＯ）、ステップＳ１０１へ進む。【００３７】  ステップＳ１０３において音声出力制御手段３は、今回取得した音韻情報２０２に含まれる音素が前回取得した音韻情報２０２に含まれる音素と同じかどうかを判定し、同じであれば（ＮＯ）ステップＳ１０５へ進み、異なっていれば（ＹＥＳ）ステップＳ１０４へ進む。【００３８】  ステップＳ１０４において音声出力制御手段３は、音韻情報２０２を構成する音素ｐを音素置換規則に従って新たな音素ｐ’に置換して音声出力指示３０２とする。これに対し、ステップＳ１０５において音声出力制御手段３は、音韻情報２０２を構成する音素ｐを前回のステップＳ１０４の処理で得た音素ｐ’に置換して音声出力指示３０２とする。ステップＳ１０３の判断とステップＳ１０５の処理は、入力音声２０１中の同一音素が連続した区間を別の同一音素が連続した区間に変換するためのものである。【００３９】  ステップＳ１０６において音声出力制御手段３は、音韻情報２０２に含まれている基本周波数情報が示す基本周波数Ｆ０に基づき、周波数変換式に従って基本周波数Ｆ０’を計算し、音声出力指示３０２とする。周波数変換式は次式のとおりである。【００４０】  Ｆ０’＝Ｆ０＊ｒ＊（乱数（０．４）＋０．８）
ここでｒは、出力音声４０２の基本周波数を入力音声２０１の基本周波数に対してどの程度高くするかを指示するための予め定められた係数である。係数ｒは、ｒ＜１とすることにより出力音声４０２の基本周波数を入力音声２０１の基本周波数よりも全体的に低くすることがでる。たとえばｒ＝０．５とすれば、入力音声２０１の女声が男声のように変換されて出力音声４０２として出力されることになるので、通話相手に利用者の性別が知られることを防ぐことができる。係数ｒは利用者の操作によって変更することを可能としてもよい。乱数（０．４）は、０．４未満の乱数を表す。基本周波数に乱数等で揺らぎを与えることにより、入力音声４０２のイントネーションの変化を攪乱することができ、出力音声４０２のイントネーションから入力音声２０１が何語であるかを通話相手に悟られてしまうことを防いでいる。【００４１】  ステップＳ１０７において音声出力制御手段３は、ステップＳ１０６までの処理で生成した音声出力指示３０２を音声出力手段４へ出力し、ステップＳ１０１へ戻る。【００４２】  以下、本発明の実施の形態１の具体的な動作を説明する。すなわち、利用者の音声に処理を施して無線公衆網へ出力し、通話相手に聞かせる具体例である。ここで、利用者が日本語を母国語とする女性であり、係数ｒが０．５である場合を例として説明する。【００４３】  図６は、本発明の実施の形態１における携帯電話端末１００において、通話時に利用者が音声「どちらさま？」を発した際の入力音声２０１と出力音声４０２の内容を示す図である。図６において横軸は時刻を、縦軸は基本周波数を表している。また、線群Ｌ１０１は入力音声２０１の基本周波数変化を、線群Ｌ１０２は出力音声４０２の基本周波数変化を表している。また、線群Ｌ１０１と線群Ｌ１０２のすぐ上に記載されている音素記号はそれぞれ音韻情報２０２に含まれる音素（Ｄ１０１〜Ｄ１０６）と、音声出力指示３０２で指示される音素（Ｄ１１１〜Ｄ１１６）を示す。以下、図６を中心に本発名の実施の形態１における携帯電話端末１００の動作を説明する。【００４４】  まず、利用者が通話を開始すると、音声分析手段２が入力音声２０１を分析して時刻ｔ１０１に音韻情報２０２を抽出する。音韻情報２０２は音素／ｄ／（Ｄ１０１）と基本周波数Ｆ０の情報、有音区間であることを示す信号「ＯＮ」を含んでいる。【００４５】  次に、音声出力制御手段３が図５のフローチャートに示す手順で処理を実行する。ステップＳ１０１において音声出力制御手段３は、音韻情報２０２を取得する。ステップＳ１０２において音声出力制御手段３は、有音区間（「ＯＮ」）である（ＹＥＳ）のでステップＳ１０３へ進む。ステップＳ１０３において音声出力制御手段３は、新たに音素／ｄ／を受け付けたので判断は「ＹＥＳ」となり、ステップＳ１０４へ進む。【００４６】  ステップＳ１０４において音声出力制御手段３は、図４の音素置換候補テーブルＴ３１を参照し、音素置換規則に従って音素／ｄ／を置換するための音素ｐ’を選ぶ。このとき、音素置換候補テーブルＴ３１中の、音素／ｄ／を第１フィールドとするレコードはレコードＲ３１３であるので、音声出力制御手段３は音素／ｋ／または／ｇ／の中からランダムに選択した音素を音素ｐ’とする。ここで音素ｐ’として／ｋ／が選択されたものとする。【００４７】  図５のステップＳ１０６において音声出力制御手段３は、周波数変換式に従って基本周波数Ｆ０’を計算し、ステップ１０７において音声出力制御手段３は、音素／ｋ／と基本周波数Ｆ０’を音声出力指示３０２として出力する。【００４８】  さらに、音声出力手段４が音声出力指示３０２に基づいて出力音声４０２を合成して出力する。出力音声４０２は図６に示すとおり、音素／ｋ／（Ｄ１１１）から成る音声であり、基本周波数は入力音声２０１の基本周波数の約半分となっている。【００４９】  入力音声２０１の音素／ｏ／（Ｄ１０２）の部分に対しても同様の処理を行うことにより、音素／ｉ／（Ｄ１１２）から成る出力音声４０２が音声出力手段４から出力される。出力音声４０２は信号切替手段を通して送話信号５０１として無線通信手段５へ送られ、さらに無線公衆網を介して通話相手の端末へ出力される。【００５０】  次に続く音素／ｃｈ／（Ｄ１０３）は、無声子音であるため音声分析手段２は基本周波数を抽出できず、音韻情報２０２における基本周波数Ｆ０の値として０を出力する。音声出力制御手段３は、ステップＳ１０６の処理において基本周波数Ｆ０’の値として０を出力するが、音声出力手段４は、前回受け付けた音素／ｉ／（Ｄ１１２）の基本周波数と、次に受け付けた音素／ａ／（Ｄ１１４）の基本周波数とを補間し、音素／ｒ／（Ｄ１１３）に対応する出力音声４０２の基本周波数をなめらかに変化させている。【００５１】  また、入力音声２０１の音素／ａ／（Ｄ１０５）に対応する出力音声４０２の音素／ｉ／（Ｄ１１５）の基本周波数は、図５のステップＳ１０６の周波数変換式における乱数の影響により、直前の音素／ｎ／の基本周波数に比較して若干上昇している。【００５２】  以下、同様の処理を繰り返すことにより、日本語の入力音声２０１「どちらさま？」が、日本語として意味を成さない男声「きらにじょひ？」に変換され、無線公衆網を介して通話相手の端末から出力されることになる。【００５３】  以上説明したように、本発明の実施の形態１における携帯電話端末１００では、第１のステップとして音声分析手段２が入力音声２０１から音韻情報を抽出して音韻情報２０２を出力し、第２のステップとして音声出力制御手段３が図５のフローチャートに示す手順で処理を実行することにより音韻情報２０２に基づいて音声出力指示３０２を出力し、第３のステップとして音声出力手段４が音声出力指示３０２に基づいて出力音声４０２を合成して出力している。この音声出力方法により、入力音声の音素が別の音素に置換されたランダムな音声を通話相手の端末へ出力することができる。【００５４】  以上の説明から明らかなように、本発明の実施の形態１における携帯電話端末は、入力音声の音素が別の音素に置換された音声が通話相手の端末へ出力されるため、通話相手にとって意味を成さない音声を出力することができるので、通話相手に利用者の国籍を知られることなく、利用者との意思疎通が不可能であると通話相手に思わせることができる。【００５５】  また、本発明の実施の形態１における携帯電話端末は、出力音声の基本周波数の変化が入力音声の基本周波数の変化と統計的に同様の性質を持つ揺らぎを持つようになり、出力音声の自然さが増すので、出力音声が定型メッセージや合成音声であると疑う余地を通話相手に与えず、利用者との意思疎通が不可能であると確実に通話相手に思わせることができる。【００５６】  （実施の形態２）
次に本発明の第２の実施の形態について説明する。本実施の形態２では、無線通信手段５の出力である受話信号を入力音声として用いている点に特徴がある。【００５７】  図７は、本発明の実施の形態２における携帯電話端末２００の構成図である。図７において、携帯電話端末２００は音声分析手段２、音声出力制御手段３、音声出力手段４、定型音節保持手段４１、無線通信手段５、マイクロホン６１、スピーカー６２、信号切替手段７、信号切替ボタン９１、オンフックボタン９２、オフフックボタン９３を備える。ここで、定型音節保持手段４１は出力音声４０２を構成するための定型的な音節列を保持する手段である。【００５８】  音声分析手段２は、無線通信手段５の出力である受話信号５０２を入力音声２０１として受け付けて音声分析処理を実行し、入力音声２０１の短時間平均パワーを算出して、受け付けた入力音声２０１が有音区間であるか無音区間であるかを判定し、有音の場合に信号「ＯＮ」を、無音の場合に信号「ＯＦＦ」を音韻情報２０２として出力する。【００５９】  音声出力制御手段３は、音韻情報２０２に基づいて、出力音声４０２として出力すべき音節列を識別する音節列ＩＤを生成し、音声出力指示３０２として出力する。また音声出力制御手段３は、無線通信手段５が無線公衆網との接続を終了するための指示であるオンフック信号３０４を出力する。【００６０】  音声出力手段４は、音声出力指示３０２に含まれる音節列ＩＤに基づいて定型音節保持手段４１から取得した音節列データを元にして出力音声４０２を合成して出力する。定型音節保持手段４１は、音節列ＩＤに基づいて音節列データを得るためのテーブルである音節列テーブルを保持する。【００６１】  図８は、本発明の実施の形態２における携帯電話端末２００の、定型音節保持手段４１が保持する音節列テーブルＴ４１の内容を示す図である。音節列テーブルＴ４１の各レコードＲ４１１〜Ｒ４１４は、音節列ＩＤを表す第１フィールドＦ４１１と、音節列ＩＤに対応する音節列データを表す第２フィールドＦ４１２から成る。音節列データは出力音声４０２として出力すべき音節（括弧［］で囲まれているアルファベット）と、音節の基本周波数の係数（括弧（）で囲まれている数値）のペアの列で表されている。たとえば、レコードＲ４１１に格納されている音節列ＩＤ＝１に対応する音節列データ「［ｈｏ］（１．０），［ｌａ］（１．２）」は、音節［ｈｏ］と音節［ｌａ］を連続して、それぞれ中程度の基本周波数と高めの基本周波数で出力することを表している。【００６２】  また図８において、レコードＲ４１１の音節列ＩＤ＝１に対応する音節列データは、通話開始直後の挨拶として発声される定型句（たとえば「もしもし」）であるかのように通話相手に思わせるためのデータである。また、レコードＲ４１２の音節列ＩＤ＝２に対応する音節列データは、通話相手に問い返す際に発声される定型句（たとえば「はい？」）であるかのように通話相手に思わせるためのデータである。音節列データは、通話相手にとって意味を成さない音声を生成することを意図したものではあるが、何らかの定型句であるかのように通話相手に思わせるための音節列データをあらかじめ用意しておき、ときどき出力音声４０２中に出現させるようにすることにより、出力音声４０２に自然言語としての自然さが生まれ、出力音声４０２が利用者本人の発声によるものであると通話相手に信じさせることができる。【００６３】  図９〜図１１は、本発明の実施の形態２における携帯電話端末２００の、音声出力制御手段３の処理手順を表すフローチャートである。音声出力制御手段３は、まずステップＳ２１１において音韻情報２０２を取得し、ステップＳ２１２において音韻情報２０２に含まれている信号が「ＯＮ」であるか「ＯＦＦ」であるかに基づいて入力音声２０１が有音区間であるかどうかを判断する。有音区間である場合（ＹＥＳ）、音声出力制御手段３は図１０のステップＳ２２１へ進み、無音区間である場合（ＮＯ）、ステップＳ２１３へ進む。【００６４】  ステップＳ２１３において音声出力制御手段３は、音声出力手段４が出力音声４０２を出力中であるかどうかを判断し、出力中（ＹＥＳ）であればステップＳ２１１へ戻り、出力中でない（ＮＯ）ならばステップＳ２１４へ進む。ステップＳ２１４において音声出力制御手段３は、入力音声２０１の無音区間が通話開始後の最初の無音区間である、すなわち通話開始直後であるかどうかを判断し、最初の無音区間であれば（ＹＥＳ）図１１のステップＳ２３１へ進み、そうでなければ（ＮＯ）ステップＳ２１５へ進む。【００６５】  ステップ２１５において音声出力制御手段３は、０以上１未満の擬似乱数ｄを発生し、その値によって処理を分岐する。ｄが０．２未満の場合はステップＳ２１６へ進み、０．２以上０．９未満の場合はステップＳ２１７へ進み、ｄが０．９以上の場合はステップＳ２１９へ進む。【００６６】  ステップＳ２１６において音声出力制御手段３は、音節列ＩＤ＝２、すなわち通話相手に問い返すような音節列を出力することを選択する。また、ステップＳ２１７において音声出力制御手段３は、図８の音節列テーブルＴ４１に格納されている音節列ＩＤまたは音節列ＩＤ＝０のうちから音節列ＩＤをランダムに選択する。音節列ＩＤ＝０は、音声出力手段４の出力音声４０２を停止することを示す。ステップＳ２１８において音声出力制御手段３は、ステップＳ２１６またはＳ２１７で選択した音節列ＩＤを音声出力指示３０２として出力してステップＳ２１１へ戻る。【００６７】  ステップＳ２１９において音声出力制御手段３は、オンフック信号３０４を出力することにより、無線通信手段５は無線公衆網との接続を終了する。このように、確率的に通話を切断する処理を実行することによって、利用者が通話相手の発話の意味がわからず通話を継続しても無駄だと判断してオンフック操作を行ったかのように通話相手に思わせることができる。また、通話開始からしばらくして音声出力制御手段３が自動的に通話の切断を指示するので、悪意を持った通話相手の声を聞きながら利用者自身がオンフックボタン９２を操作する手間が不要となり、利便性が向上する。【００６８】  図１０のステップＳ２２１〜Ｓ２２９は、図９のステップＳ２１２において入力音声２０１が有音区間である場合、すなわち通話相手が音声を発している場合の音声出力制御手段３の処理手順である。ステップＳ２２１において音声出力制御手段３は、０以上１未満の擬似乱数ｄを発生し、その値によって処理を分岐する。ｄが０．９９８未満の場合はステップＳ２２２へ進み、０．９９８以上の場合はステップＳ２２９へ進む。【００６９】  ステップＳ２２２で音声出力制御手段３は音節列ＩＤ＝０とし、ステップＳ２２３で音声出力指示３０２を出力してステップＳ２１１へ戻る。ステップＳ２２２〜Ｓ２２３は、利用者が発話している最中に通話相手が話し始めたため利用者が発話を中断したかのように通話相手に思わせるための処理である。ステップＳ２２２〜Ｓ２２３の処理により、通話相手の音声を聴きながら利用者が発話しているのだと通話相手に信じさせることができる。【００７０】  ステップＳ２２９において、音声出力制御手段３がオンフック信号３０４を出力することにより、無線通信手段５は無線公衆網との接続を終了する。【００７１】  図１１のステップＳ２３１〜Ｓ２３９は、図９のステップＳ２１４において入力音声２０１の無音区間が通話開始後の最初の無音区間であると判断した場合、すなわち通話開始直後の音声出力制御手段３の処理手順である。ステップＳ２３１において音声出力制御手段３は、既に音節列ＩＤの２回の出力を完了したかどうかを判断し、完了していなければ（ＮＯ）ステップＳ２３２へ進み、完了していれば（ＹＥＳ）ステップＳ２３９へ進んでオンフック信号３０４を出力する。【００７２】  ステップＳ２３２で音声出力制御手段３は音節列ＩＤ＝１、すなわち通話開始直後の挨拶のような音節列を出力することを選択し、ステップＳ２３３で音声出力指示３０２を出力して図９のステップＳ２１１へ戻る。ステップＳ２３１〜Ｓ２３９は、通話開始直後に利用者が挨拶を発声し、２回挨拶しても通話相手の応答がないので通話を切断したかのように通話相手に思わせるための処理である。【００７３】  ステップＳ２１８、Ｓ２２３、Ｓ２３３において音声出力制御手段３が音声出力指示３０２を出力した際に、音声出力手段４がそれを受け付けて出力音声４０２を出力する処理は以下の手順で実行される。まず音声出力手段４は、音声出力指示３０２に含まれる音節列ＩＤに対応する音節列データを音節列テーブルＴ４１（図８）を検索することにより得る。次に音声出力手段４は、音節列データに基づいて出力音声４０２を合成して出力する。このとき、音声出力手段４は出力音声４０２の基本周波数Ｆ０’を、音節列データが示す基本周波数の係数αに基づき周波数算出式に従って音節ごとに計算する。周波数算出式は次式のとおりである。【００７４】  Ｆ０’＝Ｆ０ｂａｓｅ＊α＊（乱数（０．４）＋０．８）
ここでＦ０ｂａｓｅは、出力音声４０２の基本周波数の初期値であり、Ｆ０ｂａｓｅの値を調整しておくことにより出力音声４０２を男声や女声とすることができる。たとえばＦ０ｂａｓｅ＝１２０Ｈｚとすれば、出力音声４０２を男声にすることができる。Ｆ０ｂａｓｅの値は利用者の操作によって変更することを可能としてもよい。乱数（０．４）は、０．４未満の乱数を表す。基本周波数に乱数を乗ずることで出力音声４０２のイントネーション変化にバリエーションを与えることができ、出力音声４０２が合成によるものであることを通話相手に悟られてしまうことを防いでいる。また音声出力手段４は、音節の境界において前後の音節の基本周波数を補間する処理を行うことにより、出力音声４０２が音声として不自然にならないようにしている。以下、本発明の実施の形態２の具体的な動作を説明する。すなわち、実施の形態２では通話相手の音声を入力音声として分析した結果に基づいて合成した音声を出力音声として無線公衆網へ出力し、通話相手に聞かせている。以下、通話相手が無言電話をかけてきた場合を説明する。【００７５】  図１２は、本発明の実施の形態２における携帯電話端末２００における出力音声４０２の内容を示す図である。図１２において横軸は時刻を、縦軸は基本周波数を表している。音節記号Ｄ２１１〜Ｄ２１４は、出力音声４０２に含まれる音節を表している。以下、図１２を中心に本発明の実施の形態２における携帯電話端末２００の動作を説明する。【００７６】  まず、着信時である時刻ｔ２０１において利用者がオフフックボタン９３を操作して通話を開始すると、音声分析手段２が入力音声２０１を分析して音韻情報２０２を抽出する。抽出された音韻情報２０２には無音を示す信号「ＯＦＦ」が含まれている。【００７７】  次に、音声出力制御手段３が図９〜１１のフローチャートに示す手順で処理を実行する。ステップＳ２１１において音声出力制御手段３は、音韻情報２０２を取得する。ステップＳ２１２において音声出力制御手段３は、無音区間（「ＯＦＦ」）である（ＮＯ）のでステップＳ２１３へ進む。ステップＳ２１３において音声出力制御手段３は、出力音声４０２を出力していない（ＮＯ）のでステップＳ２１４へ進む。ステップＳ２１４において音声出力制御手段３は、通話開始後の最初の無音区間である（ＹＥＳ）ので図１１のステップＳ２３１へ進む。【００７８】  ステップＳ２３１において音声出力制御手段３は、出力音声４０２を１回も出力していない（ＮＯ）のでステップＳ２３２へ進む。ステップＳ２３２において音声出力制御手段３は音節列ＩＤを１とし、ステップ２３３において音声出力指示３０２を出力する。【００７９】  さらに、音声出力手段４が音声出力指示３０２を受け付け、音節列テーブルＴ４１を参照して音節列ＩＤ＝１に対応する音節列データ「［ｈｏ］（１．０），［ｌａ］（１．２）」（図８のレコードＲ４１１の第２フィールドＦ４１２）を得て出力音声４０２（図１２のＤ２１１、Ｄ２１２の部分）を合成する。ここで、音節列データの係数αは音節［ｈｏ］が１．０、［ｌａ］が１．２と、音節［ｌａ］の方の基本周波数を高くするように設定されているが、出力音声４０２の基本周波数は音節［ｈｏ］（Ｄ２１１）の方が音節［ｌａ］（Ｄ２１２）よりも高くなっている。これは、周波数算出式における乱数の項によって出力音声４０２の基本周波数に揺らぎが与えられたためである。【００８０】  以下、同様の処理により、出力音声４０２の２回目の出力が行われる（図１２のＤ２１３、Ｄ２１４の部分）。音声出力制御手段３はステップＳ２３１の３回目の処理において、２回出力済である（ＹＥＳ）ためステップＳ２３９へ進み、オンフック信号３０４を出力することにより図１２の時刻ｔ２０２に無線通信手段５が無線公衆網との接続を終了する。【００８１】  以上説明したとおり、本発明の実施の形態２における携帯電話端末は、通話相手が無言電話をかけてきた場合、挨拶として発声される定型句であるかのように通話相手に思わせるための音声を定められた回数だけ出力した後、公衆網との接続を自動的に終了する。【００８２】  本発明の実施の形態２の他の具体的な動作として、架空請求を目的とした悪意呼を着信した場合を例として説明する。【００８３】  図１３は、本実施の携帯２における携帯電話端末２００における入力音声２０１と出力音声４０２の内容を示す図である。図１３において横軸は時刻を表している。図１３（ａ）、図１３（ｂ）、図１３（ｃ）は、連続的な動作を便宜上３つに分けて示したものである。図１３で、テキストＤ３０１〜Ｄ３０５は入力音声２０１、すなわち通話相手の音声の内容を、テキストＤ３１１〜Ｄ３１５は出力音声４０２の内容を表している。なお、図１３において入力音声２０１および出力音声４０２の基本周波数の情報については記載を省略してある。以下、図１３を中心として本実施の形態２における携帯電話端末２００の動作を説明する。なお、着信時に利用者が時刻ｔ３０１にオフフックボタン９３を操作してから最初の出力音声４０２（Ｄ３１１）が出力されるまでの処理は、本発明の実施の形態２における前述の動作例の処理と同様であるので説明を省略する。【００８４】  音声Ｄ３０１が入力されると、音声分析手段２が入力音声２０１を分析して音韻情報２０２を抽出する。抽出された音韻情報２０２には有音を示す信号「ＯＮ」が含まれている。【００８５】  次に、音声出力制御手段３が図９〜１１のフローチャートに示す手順で処理を実行する。ステップＳ２１１において音声出力制御手段３は、音韻情報２０２を取得する。ステップＳ２１２において音声出力制御手段３は、有音区間（「ＯＮ」）である（ＹＥＳ）ので図１０のステップＳ２２１へ進む。【００８６】  ステップＳ２２１において音声出力制御手段３は、擬似乱数ｄを発生させるが、ここではｄ＝０．２であるとすると、ｄ＜０．９９８であるのでステップＳ２２２へ進み、音節列ＩＤ＝０とし、これをステップＳ２２３で音声出力指示３０２として出力する。音声出力手段４は音声出力指示３０２を受け付けるが、音節列ＩＤ＝０であるので出力音声４０２を出力しない。【００８７】  入力音声２０１が入力されている間は、上述の処理が繰り返されるので、出力音声４０２は出力されない。【００８８】  音声Ｄ３０１が終了すると、音声分析手段２は無音を示す信号「ＯＦＦ」を含んだ音韻情報２０２を出力する。音声出力制御手段３は音韻情報２０２を取得し（ステップＳ２１１）、ステップＳ２１２の判断（ＮＯ）によりステップＳ２１３へ進み、音声出力中ではないのでさらにステップＳ２１４へと進む。ステップＳ２１４において音声出力制御手段３は、最初の無音区間ではない（ＮＯ）のでステップＳ２１５へ進む。【００８９】  ステップＳ２１５において音声出力制御手段３が発生した擬似乱数ｄの値がここでは０．３であるとすると、０．２≦ｄ＜０．９であるのでステップＳ２１７へ進む。ステップＳ２１７において音声出力制御手段３は音節列ＩＤをランダムに選択するが、ここではＩＤ＝３であるとすると、ステップＳ２１８において音声出力制御手段３は音節列ＩＤ＝３を含む音声出力指示３０２を出力する。【００９０】  音声出力手段４は音声出力指示３０２を受け付け、音節列テーブルＴ４１を参照して音節列データ［［ｋｉ］（１．０），［ｒｕ］（０．９），［ｍｉ］（０．９），［ｊｉ］（１．２），［ｈｉ］（１．１），［ｇｏ］（１．０），［ｃｈｅ］（１．３），［ｓｉ］（１．５）」（図８のレコードＲ４１３の第２フィールドＦ４１２）を得て出力音声４０２として音声Ｄ３１２（図１３）を出力する。【００９１】  音声Ｄ３１３「ｃｈｅｇｉ？」は、ステップＳ２１５において音声出力制御手段３が発生した擬似乱数ｄの値が０．２よりも小さくステップＳ２１６において音節列ＩＤ＝２となった場合、またはステップＳ２１７において音節列ＩＤとして２が選択された場合の出力である。【００９２】  音声Ｄ３１４が出力されている最中に時刻ｔ３０２に通話相手が話し始めると、音声出力制御手段３はステップＳ２１２の判断（ＹＥＳ）により図１０の処理へ進む。ここではステップＳ２２１において音声出力制御手段３が発生した擬似乱数ｄが０．７であったとすると、ｄ＜０．９９８であるので音声出力制御手段３はステップＳ２２２、Ｓ２２３の処理を実行し、音声出力手段４は図１３の時刻ｔ３０３に出力音声４０２の出力を中断する。【００９３】  音声Ｄ３０５が入力されている最中にステップＳ２２１で音声出力制御手段３が発生する擬似乱数ｄの値がここで０．９９８４となったとすると、ｄ≧０．９９８であるので、音声出力制御手段３はステップＳ２２９でオンフック信号３０４を出力することにより、無線通信手段５が時刻ｔ３０４に無線公衆網との接続を終了する。【００９４】  以上説明したとおり、本発明の実施の形態２における携帯電話端末は、通話相手にとって意味を成さない音声を通話相手の音声の合間に出力することによって利用者が会話をしているように見せかけた後、自動的に通話を切断する。【００９５】  以上の説明から明らかなように、本発明の実施の形態２における携帯電話端末は、音節列をランダムに通話相手の端末へ出力するため、通話相手にとって意味を成さない音声を出力することができるので、通話相手に利用者の国籍を知られることなく、利用者との意思疎通が不可能であると通話相手に思わせることができる。【００９６】  また、本発明の実施の形態２における携帯電話端末は、通話相手の音声が有音かどうかに基づいて音声の出力を変化させることができるため、通話相手の発話状況に応じた音声出力ができるので、出力音声が定型メッセージや合成音声である��疑う余地を相手に与えず、利用者との意思疎通が不可能であると確実に相手に思わせることができる。【００９７】  また、本発明の実施の形態２における携帯電話端末は、定型的な音声をときどき出力するため、出力音声の自然さが増すので、出力音声が定型メッセージや合成音声であると疑う余地を通話相手に与えず、利用者との意思疎通が不可能であると確実に通話相手に思わせることができる。【００９８】  また、本発明の実施の形態２における携帯電話端末は、音声出力の最中に通話相手が話し始めると音声出力を中止するため、通話相手の音声を聴きながら利用者が実際に発話しているのだと通話相手に思わせることができるので、利用者との意思疎通が不可能であると確実に通話相手に思わせることができる。【００９９】  また、本発明の実施の形態２における携帯電話端末は、通話中に自動的に通信を終了するため、利用者が通話相手の通話の意味がわからず通話を継続しても無駄だと判断してオンフック操作を行ったかのように通話相手に思わせることができるので、利用者との意思疎通が不可能であると確実に通話相手に思わせることができる。【０１００】  なお、本発明の実施の形態２において、音節列データは予め定めたものから選択するようにしたが、通話相手にとって無意味な音声を出力できるものであればどのような手段を用いてもよく、たとえば音声出力のたびにランダムな音節列や音素列を都度生成するようにしてもよい。【０１０１】  また、本発明の実施の形態２において、出力音声を出力するか通信を切断するかを判断する条件（ステップＳ２１５、Ｓ２２１の分岐判断におけるｄの値の範囲）は一定であるとしたが、これに限るものではなく、通信を切断する確率を着信を重ねるごとに増加させるなど、条件を変化させるようにしてもよい。【０１０２】  また、本発明の実施の形態１および実施の形態２において、端末が本発明の音声出力装置を内蔵するとしたが、たとえば交換機、中継機、サーバ等、端末と接続する外部装置が本発明の音声出力装置を内蔵し、利用者または通話相手の音声を処理して音声を出力するように構成してもよい。【０１０３】  また、本発明の実施の形態１および実施の形態２において、携帯電話端末の例を説明したが、これに限るものではなく、固定電話、ＩＰ電話、ボイスチャット、インターホン等でも同様の効果が得られる。【０１０４】  また、本発明の音声出力装置は、利用者の入力音声に対してランダム性を持つ音声を出力する装置に利用することができ、たとえば電子ペット、ペットロボット、玩具、ゲーム機やゲームソフト等を構成するための音声出力装置としても利用できる。
本発明を詳細にまた特定の実施態様を参照して説明したが、本発明の精神と範囲を逸脱することなく様々な変更や修正を加えることができることは当業者にとって明らかである。
本出願は、２００５年８月２日出願の日本特許出願Ｎｏ．２００５−２２３６５２に基づくものであり、その内容はここに参照として取り込まれる。
【産業上の利用可能性】
【０１０５】  本発明の音声出力装置および音声出力方法は、悪意呼の発呼者に利用者の国籍を知られることがなく、利用者との意思疎通が不可能であると発呼者に思わせることができ、発呼者による再度の悪意呼を抑止することができるという効果を有し、不特定の者との通話が可能な音声通信装置に有用である。
【図１】
2007015319.tif 000002
【図２】
2007015319.tif 000003
【図３】
2007015319.tif 000004
【図４】
2007015319.tif 000005
【図５】
2007015319.tif 000006
【図６】
2007015319.tif 000007
【図７】
2007015319.tif 000008
【図８】
2007015319.tif 000009
【図９】
2007015319.tif 000010
【図１０】
2007015319.tif 000011
【図１１】
2007015319.tif 000012
【図１２】
2007015319.tif 000013
【図１３】
2007015319.tif 000014
【手続補正書】
【提出日】平成19年5月3日(2007.5.3)
【手続補正１】
【補正対象書類名】特許請求の範囲
【補正対象項目名】全文
【補正方法】変更
【補正の内容】
【特許請求の範囲】
【請求項１】
入力音声から音韻情報を抽出する音声分析手段と、
前記音韻情報に基づいて音声出力を指示する音声出力制御手段と、
前記指示に基づいて音声を出力する音声出力手段と、
を具備する音声出力装置であって、
前記入力音声の音韻情報に基づいてランダムな音韻の音声を出力するよう構成したことを特徴とする音声出力装置。
【請求項２】
前記音韻情報は前記入力音声に含まれる音素または音節を識別する情報を含み、
前記音声出力制御手段は、前記音素または音節をあらかじめ定めた規則に従って置換することによって、前記出力音声を構成する音素または音節を決定することを特徴とする請求項１記載の音声出力装置。
【請求項３】
前記音韻情報は、前記入力音声が有音かどうかを表す情報を含み、
前記音声出力制御手段は、前記有音かどうかを表す情報に基づいて音声出力を指示することを特徴とする請求項１または２に記載の音声出力装置。
【請求項４】
前記音韻情報は、前記入力音声の基本周波数を表す情報を含み、
前記音声出力制御手段は、前記基本周波数に基づいて前記出力音声の基本周波数を決定することを特徴とする請求項１ないし３のいずれか一項記載の音声出力装置。
【請求項５】
通信処理を実行し、前記出力音声を通信先へ出力する通信手段と、
請求項１ないし４のいずれか一項記載の音声出力装置を具備する音声通信装置。
【請求項６】
入力音声から音韻情報を抽出する第１のステップと、
前記音韻情報に基づいてランダムな音韻の音声出力を指示する第２のステップと、
前記指示に基づいて前記出力音声を出力する第３のステップと、
を有する音声出力方法。
【手続補正２】
【補正対象書類名】明細書
【補正対象項目名】全文
【補正方法】変更
【補正の内容】
【発明の詳細な説明】
【技術分野】
【０００１】
本発明は、入力音声に処理を施して音声を出力する装置に関し、特に電話通信におけるいたずら電話等の不当または不正な呼びを防止する手段として利用可能な音声出力装置に関する。
【背景技術】
【０００２】
近年、電話を利用して人々を騙し、金銭を指定口座に振り込ませることで不正に利益を得ようとする「振り込め詐欺」が社会問題化している。また、電話を利用して利用者が望まない高額なサービスや商品を売りつけようとする悪徳商法も後を絶たない。このような詐欺行為や勧誘行為等を目的とした悪意呼の他にも、ランダムな電話番号に発呼して利用者に発声させ、利用者の国籍や性別、年代等の個人情報を入手し、詐欺行為や勧誘行為につなげようとする悪意呼もあることが知られている。
【０００３】
従来より、いたずら電話等の悪意呼を撃退するための装置が提案されてきた。たとえば、利用者が発する音声のピッチ周期を変換して相手に聞かせる電話装置が提案されている。この発明によれば、女性の利用者が発声しても相手には男性の声に聞こえるため、相手に利用者が男性であると思わせ、いたずら電話をやめさせることができる（例えば特許文献１参照）。
【０００４】
また、留守番電話の自動応答機能を利用して「ただ今電話に出ることができません」といった定型メッセージを相手に聞かせることで、いたずら電話をあきらめさせる方法も知られている。
【特許文献１】特開２０００−７８２４６号公報（第６ページ、図１）
【発明の開示】
【発明が解決しようとする課題】
【０００５】
しかしながら、上記従来の装置にあっては、利用者の性別が相手に知られることは避けられるものの、利用者の発話内容が保たれたまま相手に伝わってしまうため、利用者の国籍が判別されてしまい、利用者の個人情報を入手しようとする悪意呼に対する対策としては不十分であるという問題があった。また、詐欺行為や勧誘行為を目的とする者は利用者との意思疎通が可能であることを知り、悪意呼を継続したり繰り返したりしてしまうという問題があった。
【０００６】
また、定型メッセージを相手に聞かせる従来の方法の場合、メッセージが利用者本人の発話によるものではないことを相手が容易に判別できるため、相手は利用者本人が電話に出るまであきらめず、悪意呼を何度も繰り返してしまうという問題があった。
【０００７】
本発明は、上記従来の課題を解決するものであり、相手に利用者の国籍を知られることがなく、利用者との意思疎通が不可能であると相手に思わせることにより、再度の悪意呼を抑止することのできる音声通信装置を提供することを目的とする。
【課題を解決するための手段】
【０００８】
前記従来の課題を解決するために、本発明の音声出力装置は、入力音声から音韻情報を抽出する音声分析手段と、音韻情報に基づいて音声出力を指示する音声出力制御手段と、音声出力制御手段の指示に基づいて音声を出力する音声出力手段とを用いて入力音声の音韻情報に基づいてランダムな音韻の音声を出力するよう構成した。
【０００９】
上記構成により、入力音声を元にして聞く者にとって意味を成さない音声を出力することができるので、相手に利用者の国籍を知られることなく、利用者との意思疎通が不可能であると思わせることができる。
【００１０】
また本発明の音声出力装置は、音韻情報が入力音声に含まれる音素または音節を識別する情報を含み、音声出力制御手段は、音素または音節をあらかじめ定めた規則に従って置換することによって出力音声を構成する音素または音節を決定する。
【００１１】
上記構成により、入力音声の音素または音節が別の音素または音節に置換された音声が出力されるため、聞く者にとって意味を成さない音声を出力することができる。そのため、相手に利用者の国籍を知られることなく、利用者との意思疎通が不可能であると思わせることができる。
【００１２】
また本発明の音声出力装置は、音韻情報が入力音声が有音かどうかを表す情報を含み、音声出力制御手段は、有音かどうかを表す情報に基づいて音声出力を指示する。
【００１３】
上記構成により、入力音声が有音かどうかによって音声出力の開始や停止を制御することができるため、利用者や相手の発話のタイミングに合わせた音声出力ができる。そのため、出力音声が定型メッセージや合成音声であると疑う余地を相手に与えず、利用者との意思疎通が不可能であると思わせることができる。
【００１４】
また本発明の音声出力装置は、音韻情報が入力音声の基本周波数を表す情報を含み、音声出力制御手段が基本周波数情報に基づいて出力音声の基本周波数を決定する。
【００１５】
上記構成により、出力音声の基本周波数の変化が入力音声の基本周波数の変化と統計的に同様の性質を持つ揺らぎを持つようになり、出力音声の自然さが増す。そのため、出力音声が定型メッセージや合成音声であると疑う余地を相手に与えず、利用者との意思疎通が不可能であると思わせることができる。
【００１６】
また本発明は、通信処理を実行し出力音声を通信先へ出力する通信手段を更に具備する音声通信装置を構成する。
【００１７】
上記構成により、相手に利用者の国籍を知られることがなく、利用者との意思疎通が不可能であると思わせることにより、再度の悪意呼を抑止することのできる音声通信装置を提供することができる。
【００１８】
また本発明の音声出力方法は、入力音声から音韻情報を抽出する第１のステップと、前記音韻情報に基づいてランダムな音韻で構成される出力音声の出力を指示する第２のステップと、前記指示に基づいて前記出力音声を出力する第３のステップとを有する。
【００１９】
上記方法により、聞く者にとって意味を成さない音声を入力音声に基づいて出力することができるので、相手に利用者の国籍を知られることなく、利用者との意思疎通が不可能であると思わせることができる。
【発明の効果】
【００２０】
本発明によれば、入力した音声の音韻情報をもとにランダムな音韻情報を作り出して音声を出力することにより、悪意呼を発呼した相手に利用者の国籍を知られることがなく、利用者との意思疎通が不可能であると思わせることができ、再度の悪意呼を抑止することができる。
【発明を実施するための最良の形態】
【００２１】
以下、本発明を実施するための最良の形態について、図面を参照しながら説明する。なお、実施の形態を説明するための全図において、同一の構成要素には同一符号を付与し、重複する説明は省略する。
【００２２】
（実施の形態１）
図１は、本発明の実施の形態１における音声出力装置１の概略構成図である。図１において、音声出力装置１は音声分析手段２、音声出力制御手段３、音声出力手段４を備える。
【００２３】
音声分析手段２は、入力音声２０１を受け付けて音声分析処理を実行し、入力音声２０１の音韻情報を抽出して音韻情報２０２を出力する。なお、本明細書に記載する「音韻情報」とは音声分析の結果得られる音声の音韻的な情報を指す。例えば、音声を構成する音素や音節を識別するための記号や記号列、音声の強弱や高低を示す情報、基本周波数の情報、有音か無音かを区別するための情報等が本明細書記載の「音韻情報」に相当する。
【００２４】
音声出力制御手段３は、音韻情報２０２を受け付け、出力音声４０２の出力を指示する音声出力指示３０２を出力する。音声出力手段４は、音声出力指示３０２に基づいて出力音声４０２を出力する。ここで、音声出力制御手段３は、出力音声４０２がランダムな音韻で構成されるよう、音韻情報２０２に基づいて音声出力指示３０２を出力する。
【００２５】
なお、音声分析手段２における音声分析処理には公知の音声分析装置や音声分析方法を用いてよく、従って本明細書中では詳しい説明を省略するものとする。また、音声出力手段４における音声出力処理には公知の音声合成装置や音声合成方法を用いてよく、従って本明細書中では詳しい説明を省略するものとする。
【００２６】
図２は、本発明の実施の形態１における音声出力装置１を携帯電話端末１００として構成したときの構成図である。図２において携帯電話端末１００は、図１で説明した構成要素に加えて無線通信手段５、マイクロホン６１、スピーカー６２、信号切替手段７、信号切替ボタン９１、オンフックボタン９２、オフフックボタン９３を備える。
【００２７】
音声分析手段２は、入力音声２０１を受け付けて音声分析処理を実行し、入力音声２０１の短時間平均パワーを算出して、受け付けた入力音声２０１が有音区間であるか無音区間であるかを判定し、有音の場合に信号「ＯＮ」を、無音の場合に信号「ＯＦＦ」を音韻情報２０２として出力する。また音声分析手段２は、入力音声２０１にケプストラム分析等を施すことにより音素を識別し、音素記号（たとえば／ｐ／、／ａ／）を音韻情報２０２として出力する。さらに音声分析手段２は、入力音声２０１の３０ミリ秒ごとの基本周波数を表す基本周波数情報を音韻情報２０２として出力する。
【００２８】
音声出力制御手段３は、音韻情報２０２に含まれる音素記号と基本周波数情報に基づいて、出力音声４０２が含むべき音素および出力音声４０２の基本周波数を決定し、音声出力指示３０２として出力する。
【００２９】
音声出力手段４は、音声出力指示３０２が指示する音素および基本周波数に基づいて出力音声４０２を合成して出力する。また音声出力手段４は、音素が遷移する際の調音結合の処理、および基本周波数変化の補間処理等を行うことにより、出力音声４０２が音声として不自然にならないようにしている。
【００３０】
無線通信手段５は、携帯電話端末１００を無線公衆網（図示せず）と接続して通信処理を実行する部分である。無線通信手段５は、送話信号５０１を無線公衆網へ出力する。また無線通信手段５は、無線公衆網から取得した受話信号５０２をスピーカー６２へ出力する。また無線通信手段５は、オフフックボタン９３の操作に基づいて送話信号５０１の無線公衆網への出力および受話信号５０２の無線公衆網からの取得を開始する。また無線通信手段５は、オンフックボタン９２の操作に基づいて無線公衆網との接続を終了する。
【００３１】
マイクロホン６１は利用者の音声を電気信号に変換してマイクロホン出力信号６１２を出力する。スピーカー６２は受話信号５０２を空気振動に変換して放音する。信号切替手段７は、２種類の信号を切り替えて出力する手段であり、信号切替ボタン９１の操作により出力音声４０２を送話信号５０１として出力するかマイクロホン出力信号６１２を送話信号５０１として出力するかを切り替えることができる。すなわち、利用者の音声に処理を施した出力音声４０２と、処理を施さないマイクロホン出力信号６１２のうち、どちらの音声を無線公衆網へ出力して通話相手に聞かせるかを、信号切替ボタン９１の操作によって利用者が選択することができるよう構成されている。なお、信号切替手段７は、無線通信手段５による通信処理の初期状態において出力音声４０２を送話信号５０１として出力するようになっている。このことにより、通話相手が悪意を抱いていることを知らずに利用者が思わず発した音声を通話相手に聞かれてしまい、利用者の個人情報が通話相手に知られてしまうという不都合を防ぐことができる。
【００３２】
図３は、本発明の実施の形態における携帯電話端末１００の外観を示す図である。信号切替ボタン９１は、筐体下部の側面に配置され、利用者が通話中に手元を見ずに操作できるようになっている。
【００３３】
図４は、本発明の実施の形態１における携帯電話端末１００の、音声出力制御手段３が保持している音素置換候補テーブルＴ３１の内容を示す図である。音素置換候補テーブルＴ３１は、音韻情報２０２に含まれる音素を置換するための別の音素の候補を示したテーブルである。音素置換候補テーブルＴ３１の各レコードＲ３１１〜Ｒ３１８は、音韻情報２０２を構成する音素ｐを表す第１フィールドＦ３１１と、音素ｐの替わりとなる別の音素ｐ’の候補を表す第２フィールドＦ３１２とから成る。音声出力制御手段３は音素置換候補テーブルＴ３１に基づき所定の規則（以下、音素置換規則という）に従って音韻情報２０２を構成する音素ｐを音素ｐ’で置換することによって音声出力指示３０２を生成する。すなわち音声出力制御手段３は、音素置換候補テーブルＴ３１中の、音素ｐを第１フィールド（Ｆ３１１）に含むレコードをレコードＲ３１１〜Ｒ３１８の中から探し、該当するレコードの第２フィールド（Ｆ３１２）が示す音素ｐ’の候補からランダムに選択した音素を音素ｐ’とし、音素ｐを音素ｐ’で置換することによって音声出力指示３０２を生成する。
【００３４】
図５は、本発明の実施の形態１における携帯電話端末１００の、音声出力制御手段３の処理手順を表すフローチャートである。音声出力制御手段３は、まず音韻情報２０２を取得し（ステップＳ１０１）、音韻情報２０２に含まれている信号が「ＯＮ」であるか「ＯＦＦ」であるかに基づいて入力音声２０１が有音区間であるかどうかを判断する（ステップＳ１０２）。有音区間である場合（ＹＥＳ）、音声出力制御手段３はステップＳ１０３へ進み、無音区間である場合（ＮＯ）、ステップＳ１０１へ進む。
【００３５】
ステップＳ１０３において音声出力制御手段３は、今回取得した音韻情報２０２に含まれる音素が前回取得した音韻情報２０２に含まれる音素と同じかどうかを判定し、同じであれば（ＮＯ）ステップＳ１０５へ進み、異なっていれば（ＹＥＳ）ステップＳ１０４へ進む。
【００３６】
ステップＳ１０４において音声出力制御手段３は、音韻情報２０２を構成する音素ｐを音素置換規則に従って新たな音素ｐ’に置換して音声出力指示３０２とする。これに対し、ステップＳ１０５において音声出力制御手段３は、音韻情報２０２を構成する音素ｐを前回のステップＳ１０４の処理で得た音素ｐ’に置換して音声出力指示３０２とする。ステップＳ１０３の判断とステップＳ１０５の処理は、入力音声２０１中の同一音素が連続した区間を別の同一音素が連続した区間に変換するためのものである。
【００３７】
ステップＳ１０６において音声出力制御手段３は、音韻情報２０２に含まれている基本周波数情報が示す基本周波数Ｆ０に基づき、周波数変換式に従って基本周波数Ｆ０’を計算し、音声出力指示３０２とする。周波数変換式は次式のとおりである。
【００３８】
Ｆ０’＝Ｆ０＊ｒ＊（乱数（０．４）＋０．８）
ここでｒは、出力音声４０２の基本周波数を入力音声２０１の基本周波数に対してどの程度高くするかを指示するための予め定められた係数である。係数ｒは、ｒ＜１とすることにより出力音声４０２の基本周波数を入力音声２０１の基本周波数よりも全体的に低くすることがでる。たとえばｒ＝０．５とすれば、入力音声２０１の女声が男声のように変換されて出力音声４０２として出力されることになるので、通話相手に利用者の性別が知られることを防ぐことができる。係数ｒは利用者の操作によって変更することを可能としてもよい。乱数（０．４）は、０．４未満の乱数を表す。基本周波数に乱数等で揺らぎを与えることにより、入力音声４０２のイントネーションの変化を攪乱することができ、出力音声４０２のイントネーションから入力音声２０１が何語であるかを通話相手に悟られてしまうことを防いでいる。
【００３９】
ステップＳ１０７において音声出力制御手段３は、ステップＳ１０６までの処理で生成した音声出力指示３０２を音声出力手段４へ出力し、ステップＳ１０１へ戻る。
【００４０】
以下、本発明の実施の形態１の具体的な動作を説明する。すなわち、利用者の音声に処理を施して無線公衆網へ出力し、通話相手に聞かせる具体例である。ここで、利用者が日本語を母国語とする女性であり、係数ｒが０．５である場合を例として説明する。
【００４１】
図６は、本発明の実施の形態１における携帯電話端末１００において、通話時に利用者が音声「どちらさま？」を発した際の入力音声２０１と出力音声４０２の内容を示す図である。図６において横軸は時刻を、縦軸は基本周波数を表している。また、線群Ｌ１０１は入力音声２０１の基本周波数変化を、線群Ｌ１０２は出力音声４０２の基本周波数変化を表している。また、線群Ｌ１０１と線群Ｌ１０２のすぐ上に記載されている音素記号はそれぞれ音韻情報２０２に含まれる音素（Ｄ１０１〜Ｄ１０６）と、音声出力指示３０２で指示される音素（Ｄ１１１〜Ｄ１１６）を示す。以下、図６を中心に本発名の実施の形態１における携帯電話端末１００の動作を説明する。
【００４２】
まず、利用者が通話を開始すると、音声分析手段２が入力音声２０１を分析して時刻ｔ１０１に音韻情報２０２を抽出する。音韻情報２０２は音素／ｄ／（Ｄ１０１）と基本周波数Ｆ０の情報、有音区間であることを示す信号「ＯＮ」を含んでいる。
【００４３】
次に、音声出力制御手段３が図５のフローチャートに示す手順で処理を実行する。ステップＳ１０１において音声出力制御手段３は、音韻情報２０２を取得する。ステップＳ１０２において音声出力制御手段３は、有音区間（「ＯＮ」）である（ＹＥＳ）のでステップＳ１０３へ進む。ステップＳ１０３において音声出力制御手段３は、新たに音素／ｄ／を受け付けたので判断は「ＹＥＳ」となり、ステップＳ１０４へ進む。
【００４４】
ステップＳ１０４において音声出力制御手段３は、図４の音素置換候補テーブルＴ３１を参照し、音素置換規則に従って音素／ｄ／を置換するための音素ｐ’を選ぶ。このとき、音素置換候補テーブルＴ３１中の、音素／ｄ／を第１フィールドとするレコードはレコードＲ３１３であるので、音声出力制御手段３は音素／ｋ／または／ｇ／の中からランダムに選択した音素を音素ｐ’とする。ここで音素ｐ’として／ｋ／が選択されたものとする。
【００４５】
図５のステップＳ１０６において音声出力制御手段３は、周波数変換式に従って基本周波数Ｆ０’を計算し、ステップ１０７において音声出力制御手段３は、音素／ｋ／と基本周波数Ｆ０’を音声出力指示３０２として出力する。
【００４６】
さらに、音声出力手段４が音声出力指示３０２に基づいて出力音声４０２を合成して出力する。出力音声４０２は図６に示すとおり、音素／ｋ／（Ｄ１１１）から成る音声であり、基本周波数は入力音声２０１の基本周波数の約半分となっている。
【００４７】
入力音声２０１の音素／ｏ／（Ｄ１０２）の部分に対しても同様の処理を行うことにより、音素／ｉ／（Ｄ１１２）から成る出力音声４０２が音声出力手段４から出力される。出力音声４０２は信号切替手段を通して送話信号５０１として無線通信手段５へ送られ、さらに無線公衆網を介して通話相手の端末へ出力される。
【００４８】
次に続く音素／ｃｈ／（Ｄ１０３）は、無声子音であるため音声分析手段２は基本周波数を抽出できず、音韻情報２０２における基本周波数Ｆ０の値として０を出力する。音声出力制御手段３は、ステップＳ１０６の処理において基本周波数Ｆ０’の値として０を出力するが、音声出力手段４は、前回受け付けた音素／ｉ／（Ｄ１１２）の基本周波数と、次に受け付けた音素／ａ／（Ｄ１１４）の基本周波数とを補間し、音素／ｒ／（Ｄ１１３）に対応する出力音声４０２の基本周波数をなめらかに変化させている。
【００４９】
また、入力音声２０１の音素／ａ／（Ｄ１０５）に対応する出力音声４０２の音素／ｉ／（Ｄ１１５）の基本周波数は、図５のステップＳ１０６の周波数変換式における乱数の影響により、直前の音素／ｎ／の基本周波数に比較して若干上昇している。
【００５０】
以下、同様の処理を繰り返すことにより、日本語の入力音声２０１「どちらさま？」が、日本語として意味を成さない男声「きらにじょひ？」に変換され、無線公衆網を介して通話相手の端末から出力されることになる。
【００５１】
以上説明したように、本発明の実施の形態１における携帯電話端末１００では、第１のステップとして音声分析手段２が入力音声２０１から音韻情報を抽出して音韻情報２０２を出力し、第２のステップとして音声出力制御手段３が図５のフローチャートに示す手順で処理を実行することにより音韻情報２０２に基づいて音声出力指示３０２を出力し、第３のステップとして音声出力手段４が音声出力指示３０２に基づいて出力音声４０２を合成して出力している。この音声出力方法により、入力音声の音素が別の音素に置換されたランダムな音声を通話相手の端末へ出力することができる。
【００５２】
以上の説明から明らかなように、本発明の実施の形態１における携帯電話端末は、入力音声の音素が別の音素に置換された音声が通話相手の端末へ出力されるため、通話相手にとって意味を成さない音声を出力することができるので、通話相手に利用者の国籍を知られることなく、利用者との意思疎通が不可能であると通話相手に思わせることができる。
【００５３】
また、本発明の実施の形態１における携帯電話端末は、出力音声の基本周波数の変化が入力音声の基本周波数の変化と統計的に同様の性質を持つ揺らぎを持つようになり、出力音声の自然さが増すので、出力音声が定型メッセージや合成音声であると疑う余地を通話相手に与えず、利用者との意思疎通が不可能であると確実に通話相手に思わせることができる。
【００５４】
（実施の形態２）
次に本発明の第２の実施の形態について説明する。本実施の形態２では、無線通信手段５の出力である受話信号を入力音声として用いている点に特徴がある。
【００５５】
図７は、本発明の実施の形態２における携帯電話端末２００の構成図である。図７において、携帯電話端末２００は音声分析手段２、音声出力制御手段３、音声出力手段４、定型音節保持手段４１、無線通信手段５、マイクロホン６１、スピーカー６２、信号切替手段７、信号切替ボタン９１、オンフックボタン９２、オフフックボタン９３を備える。ここで、定型音節保持手段４１は出力音声４０２を構成するための定型的な音節列を保持する手段である。
【００５６】
音声分析手段２は、無線通信手段５の出力である受話信号５０２を入力音声２０１として受け付けて音声分析処理を実行し、入力音声２０１の短時間平均パワーを算出して、受け付けた入力音声２０１が有音区間であるか無音区間であるかを判定し、有音の場合に信号「ＯＮ」を、無音の場合に信号「ＯＦＦ」を音韻情報２０２として出力する。
【００５７】
音声出力制御手段３は、音韻情報２０２に基づいて、出力音声４０２として出力すべき音節列を識別する音節列ＩＤを生成し、音声出力指示３０２として出力する。また音声出力制御手段３は、無線通信手段５が無線公衆網との接続を終了するための指示であるオンフック信号３０４を出力する。
【００５８】
音声出力手段４は、音声出力指示３０２に含まれる音節列ＩＤに基づいて定型音節保持手段４１から取得した音節列データを元にして出力音声４０２を合成して出力する。定型音節保持手段４１は、音節列ＩＤに基づいて音節列データを得るためのテーブルである音節列テーブルを保持する。
【００５９】
図８は、本発明の実施の形態２における携帯電話端末２００の、定型音節保持手段４１が保持する音節列テーブルＴ４１の内容を示す図である。音節列テーブルＴ４１の各レコードＲ４１１〜Ｒ４１４は、音節列ＩＤを表す第１フィールドＦ４１１と、音節列ＩＤに対応する音節列データを表す第２フィールドＦ４１２から成る。音節列データは出力音声４０２として出力すべき音節（括弧［］で囲まれているアルファベット）と、音節の基本周波数の係数（括弧（）で囲まれている数値）のペアの列で表されている。たとえば、レコードＲ４１１に格納されている音節列ＩＤ＝１に対応する音節列データ「［ｈｏ］（１．０），［ｌａ］（１．２）」は、音節［ｈｏ］と音節［ｌａ］を連続して、それぞれ中程度の基本周波数と高めの基本周波数で出力することを表している。
【００６０】
また図８において、レコードＲ４１１の音節列ＩＤ＝１に対応する音節列データは、通話開始直後の挨拶として発声される定型句（たとえば「もしもし」）であるかのように通話相手に思わせるためのデータである。また、レコードＲ４１２の音節列ＩＤ＝２に対応する音節列データは、通話相手に問い返す際に発声される定型句（たとえば「はい？」）であるかのように通話相手に思わせるためのデータである。音節列データは、通話相手にとって意味を成さない音声を生成することを意図したものではあるが、何らかの定型句であるかのように通話相手に思わせるための音節列データをあらかじめ用意しておき、ときどき出力音声４０２中に出現させるようにすることにより、出力音声４０２に自然言語としての自然さが生まれ、出力音声４０２が利用者本人の発声によるものであると通話相手に信じさせることができる。
【００６１】
図９〜図１１は、本発明の実施の形態２における携帯電話端末２００の、音声出力制御手段３の処理手順を表すフローチャートである。音声出力制御手段３は、まずステップＳ２１１において音韻情報２０２を取得し、ステップＳ２１２において音韻情報２０２に含まれている信号が「ＯＮ」であるか「ＯＦＦ」であるかに基づいて入力音声２０１が有音区間であるかどうかを判断する。有音区間である場合（ＹＥＳ）、音声出力制御手段３は図１０のステップＳ２２１へ進み、無音区間である場合（ＮＯ）、ステップＳ２１３へ進む。
【００６２】
ステップＳ２１３において音声出力制御手段３は、音声出力手段４が出力音声４０２を出力中であるかどうかを判断し、出力中（ＹＥＳ）であればステップＳ２１１へ戻り、出力中でない（ＮＯ）ならばステップＳ２１４へ進む。ステップＳ２１４において音声出力制御手段３は、入力音声２０１の無音区間が通話開始後の最初の無音区間である、すなわち通話開始直後であるかどうかを判断し、最初の無音区間であれば（ＹＥＳ）図１１のステップＳ２３１へ進み、そうでなければ（ＮＯ）ステップＳ２１５へ進む。
【００６３】
ステップ２１５において音声出力制御手段３は、０以上１未満の擬似乱数ｄを発生し、その値によって処理を分岐する。ｄが０．２未満の場合はステップＳ２１６へ進み、０．２以上０．９未満の場合はステップＳ２１７へ進み、ｄが０．９以上の場合はステップＳ２１９へ進む。
【００６４】
ステップＳ２１６において音声出力制御手段３は、音節列ＩＤ＝２、すなわち通話相手に問い返すような音節列を出力することを選択する。また、ステップＳ２１７において音声出力制御手段３は、図８の音節列テーブルＴ４１に格納されている音節列ＩＤまたは音節列ＩＤ＝０のうちから音節列ＩＤをランダムに選択する。音節列ＩＤ＝０は、音声出力手段４の出力音声４０２を停止することを示す。ステップＳ２１８において音声出力制御手段３は、ステップＳ２１６またはＳ２１７で選択した音節列ＩＤを音声出力指示３０２として出力してステップＳ２１１へ戻る。
【００６５】
ステップＳ２１９において音声出力制御手段３は、オンフック信号３０４を出力することにより、無線通信手段５は無線公衆網との接続を終了する。このように、確率的に通話を切断する処理を実行することによって、利用者が通話相手の発話の意味がわからず通話を継続しても無駄だと判断してオンフック操作を行ったかのように通話相手に思わせることができる。また、通話開始からしばらくして音声出力制御手段３が自動的に通話の切断を指示するので、悪意を持った通話相手の声を聞きながら利用者自身がオンフックボタン９２を操作する手間が不要となり、利便性が向上する。
【００６６】
図１０のステップＳ２２１〜Ｓ２２９は、図９のステップＳ２１２において入力音声２０１が有音区間である場合、すなわち通話相手が音声を発している場合の音声出力制御手段３の処理手順である。ステップＳ２２１において音声出力制御手段３は、０以上１未満の擬似乱数ｄを発生し、その値によって処理を分岐する。ｄが０．９９８未満の場合はステップＳ２２２へ進み、０．９９８以上の場合はステップＳ２２９へ進む。
【００６７】
ステップＳ２２２で音声出力制御手段３は音節列ＩＤ＝０とし、ステップＳ２２３で音声出力指示３０２を出力してステップＳ２１１へ戻る。ステップＳ２２２〜Ｓ２２３は、利用者が発話している最中に通話相手が話し始めたため利用者が発話を中断したかのように通話相手に思わせるための処理である。ステップＳ２２２〜Ｓ２２３の処理により、通話相手の音声を聴きながら利用者が発話しているのだと通話相手に信じさせることができる。
【００６８】
ステップＳ２２９において、音声出力制御手段３がオンフック信号３０４を出力することにより、無線通信手段５は無線公衆網との接続を終了する。
【００６９】
図１１のステップＳ２３１〜Ｓ２３９は、図９のステップＳ２１４において入力音声２０１の無音区間が通話開始後の最初の無音区間であると判断した場合、すなわち通話開始直後の音声出力制御手段３の処理手順である。ステップＳ２３１において音声出力制御手段３は、既に音節列ＩＤの２回の出力を完了したかどうかを判断し、完了していなければ（ＮＯ）ステップＳ２３２へ進み、完了していれば（ＹＥＳ）ステップＳ２３９へ進んでオンフック信号３０４を出力する。
【００７０】
ステップＳ２３２で音声出力制御手段３は音節列ＩＤ＝１、すなわち通話開始直後の挨拶のような音節列を出力することを選択し、ステップＳ２３３で音声出力指示３０２を出力して図９のステップＳ２１１へ戻る。ステップＳ２３１〜Ｓ２３９は、通話開始直後に利用者が挨拶を発声し、２回挨拶しても通話相手の応答がないので通話を切断したかのように通話相手に思わせるための処理である。
【００７１】
ステップＳ２１８、Ｓ２２３、Ｓ２３３において音声出力制御手段３が音声出力指示３０２を出力した際に、音声出力手段４がそれを受け付けて出力音声４０２を出力する処理は以下の手順で実行される。まず音声出力手段４は、音声出力指示３０２に含まれる音節列ＩＤに対応する音節列データを音節列テーブルＴ４１（図８）を検索することにより得る。次に音声出力手段４は、音節列データに基づいて出力音声４０２を合成して出力する。このとき、音声出力手段４は出力音声４０２の基本周波数Ｆ０’を、音節列データが示す基本周波数の係数αに基づき周波数算出式に従って音節ごとに計算する。周波数算出式は次式のとおりである。
【００７２】
Ｆ０’＝Ｆ０ｂａｓｅ＊α＊（乱数（０．４）＋０．８）
ここでＦ０ｂａｓｅは、出力音声４０２の基本周波数の初期値であり、Ｆ０ｂａｓｅの値を調整しておくことにより出力音声４０２を男声や女声とすることができる。たとえばＦ０ｂａｓｅ＝１２０Ｈｚとすれば、出力音声４０２を男声にすることができる。Ｆ０ｂａｓｅの値は利用者の操作によって変更することを可能としてもよい。乱数（０．４）は、０．４未満の乱数を表す。基本周波数に乱数を乗ずることで出力音声４０２のイントネーション変化にバリエーションを与えることができ、出力音声４０２が合成によるものであることを通話相手に悟られてしまうことを防いでいる。また音声出力手段４は、音節の境界において前後の音節の基本周波数を補間する処理を行うことにより、出力音声４０２が音声として不自然にならないようにしている。以下、本発明の実施の形態２の具体的な動作を説明する。すなわち、実施の形態２では通話相手の音声を入力音声として分析した結果に基づいて合成した音声を出力音声として無線公衆網へ出力し、通話相手に聞かせている。以下、通話相手が無言電話をかけてきた場合を説明する。
【００７３】
図１２は、本発明の実施の形態２における携帯電話端末２００における出力音声４０２の内容を示す図である。図１２において横軸は時刻を、縦軸は基本周波数を表している。音節記号Ｄ２１１〜Ｄ２１４は、出力音声４０２に含まれる音節を表している。以下、図１２を中心に本発明の実施の形態２における携帯電話端末２００の動作を説明する。
【００７４】
まず、着信時である時刻ｔ２０１において利用者がオフフックボタン９３を操作して通話を開始すると、音声分析手段２が入力音声２０１を分析して音韻情報２０２を抽出する。抽出された音韻情報２０２には無音を示す信号「ＯＦＦ」が含まれている。
【００７５】
次に、音声出力制御手段３が図９〜１１のフローチャートに示す手順で処理を実行する。ステップＳ２１１において音声出力制御手段３は、音韻情報２０２を取得する。ステップＳ２１２において音声出力制御手段３は、無音区間（「ＯＦＦ」）である（ＮＯ）のでステップＳ２１３へ進む。ステップＳ２１３において音声出力制御手段３は、出力音声４０２を出力していない（ＮＯ）のでステップＳ２１４へ進む。ステップＳ２１４において音声出力制御手段３は、通話開始後の最初の無音区間である（ＹＥＳ）ので図１１のステップＳ２３１へ進む。
【００７６】
ステップＳ２３１において音声出力制御手段３は、出力音声４０２を１回も出力していない（ＮＯ）のでステップＳ２３２へ進む。ステップＳ２３２において音声出力制御手段３は音節列ＩＤを１とし、ステップ２３３において音声出力指示３０２を出力する。
【００７７】
さらに、音声出力手段４が音声出力指示３０２を受け付け、音節列テーブルＴ４１を参照して音節列ＩＤ＝１に対応する音節列データ「［ｈｏ］（１．０），［ｌａ］（１．２）」（図８のレコードＲ４１１の第２フィールドＦ４１２）を得て出力音声４０２（図１２のＤ２１１、Ｄ２１２の部分）を合成する。ここで、音節列データの係数αは音節［ｈｏ］が１．０、［ｌａ］が１．２と、音節［ｌａ］の方の基本周波数を高くするように設定されているが、出力音声４０２の基本周波数は音節［ｈｏ］（Ｄ２１１）の方が音節［ｌａ］（Ｄ２１２）よりも高くなっている。これは、周波数算出式における乱数の項によって出力音声４０２の基本周波数に揺らぎが与えられたためである。
【００７８】
以下、同様の処理により、出力音声４０２の２回目の出力が行われる（図１２のＤ２１３、Ｄ２１４の部分）。音声出力制御手段３はステップＳ２３１の３回目の処理において、２回出力済である（ＹＥＳ）ためステップＳ２３９へ進み、オンフック信号３０４を出力することにより図１２の時刻ｔ２０２に無線通信手段５が無線公衆網との接続を終了する。
【００７９】
以上説明したとおり、本発明の実施の形態２における携帯電話端末は、通話相手が無言電話をかけてきた場合、挨拶として発声される定型句であるかのように通話相手に思わせるための音声を定められた回数だけ出力した後、公衆網との接続を自動的に終了する。
【００８０】
本発明の実施の形態２の他の具体的な動作として、架空請求を目的とした悪意呼を着信した場合を例として説明する。
【００８１】
図１３は、本実施の携帯２における携帯電話端末２００における入力音声２０１と出力音声４０２の内容を示す図である。図１３において横軸は時刻を表している。図１３（ａ）、図１３（ｂ）、図１３（ｃ）は、連続的な動作を便宜上３つに分けて示したものである。図１３で、テキストＤ３０１〜Ｄ３０５は入力音声２０１、すなわち通話相手の音声の内容を、テキストＤ３１１〜Ｄ３１５は出力音声４０２の内容を表している。なお、図１３において入力音声２０１および出力音声４０２の基本周波数の情報については記載を省略してある。以下、図１３を中心として本実施の形態２における携帯電話端末２００の動作を説明する。なお、着信時に利用者が時刻ｔ３０１にオフフックボタン９３を操作してから最初の出力音声４０２（Ｄ３１１）が出力されるまでの処理は、本発明の実施の形態２における前述の動作例の処理と同様であるので説明を省略する。
【００８２】
音声Ｄ３０１が入力されると、音声分析手段２が入力音声２０１を分析して音韻情報２０２を抽出する。抽出された音韻情報２０２には有音を示す信号「ＯＮ」が含まれている。
【００８３】
次に、音声出力制御手段３が図９〜１１のフローチャートに示す手順で処理を実行する。ステップＳ２１１において音声出力制御手段３は、音韻情報２０２を取得する。ステップＳ２１２において音声出力制御手段３は、有音区間（「ＯＮ」）である（ＹＥＳ）ので図１０のステップＳ２２１へ進む。
【００８４】
ステップＳ２２１において音声出力制御手段３は、擬似乱数ｄを発生させるが、ここで
はｄ＝０．２であるとすると、ｄ＜０．９９８であるのでステップＳ２２２へ進み、音節列ＩＤ＝０とし、これをステップＳ２２３で音声出力指示３０２として出力する。音声出力手段４は音声出力指示３０２を受け付けるが、音節列ＩＤ＝０であるので出力音声４０２を出力しない。
【００８５】
入力音声２０１が入力されている間は、上述の処理が繰り返されるので、出力音声４０２は出力されない。
【００８６】
音声Ｄ３０１が終了すると、音声分析手段２は無音を示す信号「ＯＦＦ」を含んだ音韻情報２０２を出力する。音声出力制御手段３は音韻情報２０２を取得し（ステップＳ２１１）、ステップＳ２１２の判断（ＮＯ）によりステップＳ２１３へ進み、音声出力中ではないのでさらにステップＳ２１４へと進む。ステップＳ２１４において音声出力制御手段３は、最初の無音区間ではない（ＮＯ）のでステップＳ２１５へ進む。
【００８７】
ステップＳ２１５において音声出力制御手段３が発生した擬似乱数ｄの値がここでは０．３であるとすると、０．２≦ｄ＜０．９であるのでステップＳ２１７へ進む。ステップＳ２１７において音声出力制御手段３は音節列ＩＤをランダムに選択するが、ここではＩＤ＝３であるとすると、ステップＳ２１８において音声出力制御手段３は音節列ＩＤ＝３を含む音声出力指示３０２を出力する。
【００８８】
音声出力手段４は音声出力指示３０２を受け付け、音節列テーブルＴ４１を参照して音節列データ［［ｋｉ］（１．０），［ｒｕ］（０．９），［ｍｉ］（０．９），［ｊｉ］（１．２），［ｈｉ］（１．１），［ｇｏ］（１．０），［ｃｈｅ］（１．３），［ｓｉ］（１．５）］（図８のレコードＲ４１３の第２フィールドＦ４１２）を得て出力音声４０２として音声Ｄ３１２（図１３）を出力する。
【００８９】
音声Ｄ３１３「ｃｈｅｇｉ？」は、ステップＳ２１５において音声出力制御手段３が発生した擬似乱数ｄの値が０．２よりも小さくステップＳ２１６において音節列ＩＤ＝２となった場合、またはステップＳ２１７において音節列ＩＤとして２が選択された場合の出力である。
【００９０】
音声Ｄ３１４が出力されている最中に時刻ｔ３０２に通話相手が話し始めると、音声出力制御手段３はステップＳ２１２の判断（ＹＥＳ）により図１０の処理へ進む。ここではステップＳ２２１において音声出力制御手段３が発生した擬似乱数ｄが０．７であったとすると、ｄ＜０．９９８であるので音声出力制御手段３はステップＳ２２２、Ｓ２２３の処理を実行し、音声出力手段４は図１３の時刻ｔ３０３に出力音声４０２の出力を中断する。
【００９１】
音声Ｄ３０５が入力されている最中にステップＳ２２１で音声出力制御手段３が発生する擬似乱数ｄの値がここで０．９９８４となったとすると、ｄ≧０．９９８であるので、音声出力制御手段３はステップＳ２２９でオンフック信号３０４を出力することにより、無線通信手段５が時刻ｔ３０４に無線公衆網との接続を終了する。
【００９２】
以上説明したとおり、本発明の実施の形態２における携帯電話端末は、通話相手にとって意味を成さない音声を通話相手の音声の合間に出力することによって利用者が会話をしているように見せかけた後、自動的に通話を切断する。
【００９３】
以上の説明から明らかなように、本発明の実施の形態２における携帯電話端末は、音節列をランダムに通話相手の端末へ出力するため、通話相手にとって意味を成さない音声を出力することができるので、通話相手に利用者の国籍を知られることなく、利用者との意思疎通が不可能であると通話相手に思わせることができる。
【００９４】
また、本発明の実施の形態２における携帯電話端末は、通話相手の音声が有音かどうかに基づいて音声の出力を変化させることができるため、通話相手の発話状況に応じた音声出力ができるので、出力音声が定型メッセージや合成音声であると疑う余地を相手に与えず、利用者との意思疎通が不可能であると確実に相手に思わせることができる。
【００９５】
また、本発明の実施の形態２における携帯電話端末は、定型的な音声をときどき出力するため、出力音声の自然さが増すので、出力音声が定型メッセージや合成音声であると疑う余地を通話相手に与えず、利用者との意思疎通が不可能であると確実に通話相手に思わせることができる。
【００９６】
また、本発明の実施の形態２における携帯電話端末は、音声出力の最中に通話相手が話し始めると音声出力を中止するため、通話相手の音声を聴きながら利用者が実際に発話しているのだと通話相手に思わせることができるので、利用者との意思疎通が不可能であると確実に通話相手に思わせることができる。
【００９７】
また、本発明の実施の形態２における携帯電話端末は、通話中に自動的に通信を終了するため、利用者が通話相手の通話の意味がわからず通話を継続しても無駄だと判断してオンフック操作を行ったかのように通話相手に思わせることができるので、利用者との意思疎通が不可能であると確実に通話相手に思わせることができる。
【００９８】
なお、本発明の実施の形態２において、音節列データは予め定めたものから選択するようにしたが、通話相手にとって無意味な音声を出力できるものであればどのような手段を用いてもよく、たとえば音声出力のたびにランダムな音節列や音素列を都度生成するようにしてもよい。
【００９９】
また、本発明の実施の形態２において、出力音声を出力するか通信を切断するかを判断する条件（ステップＳ２１５、Ｓ２２１の分岐判断におけるｄの値の範囲）は一定であるとしたが、これに限るものではなく、通信を切断する確率を着信を重ねるごとに増加させるなど、条件を変化させるようにしてもよい。
【０１００】
また、本発明の実施の形態１および実施の形態２において、端末が本発明の音声出力装置を内蔵するとしたが、たとえば交換機、中継機、サーバ等、端末と接続する外部装置が本発明の音声出力装置を内蔵し、利用者または通話相手の音声を処理して音声を出力するように構成してもよい。
【０１０１】
また、本発明の実施の形態１および実施の形態２において、携帯電話端末の例を説明したが、これに限るものではなく、固定電話、ＩＰ電話、ボイスチャット、インターホン等でも同様の効果が得られる。
【０１０２】
また、本発明の音声出力装置は、利用者の入力音声に対してランダム性を持つ音声を出力する装置に利用することができ、たとえば電子ペット、ペットロボット、玩具、ゲーム機やゲームソフト等を構成するための音声出力装置としても利用できる。
本発明を詳細にまた特定の実施態様を参照して説明したが、本発明の精神と範囲を逸脱することなく様々な変更や修正を加えることができることは当業者にとって明らかである。
本出願は、2005年8月2日出願の日本特許出願No.2005-223652に基づくものであり、その内容はここに参照として取り込まれる。
【産業上の利用可能性】
【０１０３】
本発明の音声出力装置および音声出力方法は、悪意呼の発呼者に利用者の国籍を知られることがなく、利用者との意思疎通が不可能であると発呼者に思わせることができ、発呼者による再度の悪意呼を抑止することができるという効果を有し、不特定の者との通話が可能な音声通信装置に有用である。
【図面の簡単な説明】
【０１０４】
【図１】本発明の実施の形態１における音声出力装置の概略構成図
【図２】本発明の実施の形態１における携帯電話端末の構成図
【図３】本発明の実施の形態１における携帯電話端末の外観図
【図４】本発明の実施の形態１における携帯電話端末の音声出力制御手段が保持している音素置換候補テーブルの内容を説明する図
【図５】本発明の実施の形態１における携帯電話端末の音声出力制御手段の処理手順を示すフローチャート
【図６】本発明の実施の形態１における携帯電話端末の動作を説明する図
【図７】本発明の実施の形態２における携帯電話端末の構成図
【図８】本発明の実施の形態２における携帯電話端末の音声出力手段が保持している音節列テーブルの内容を説明する図
【図９】本発明の実施の形態２における携帯電話端末の音声出力制御手段の処理手順を示す第１のフローチャート
【図１０】本発明の実施の形態２における携帯電話端末の音声出力制御手段の処理手順を示す第２のフローチャート
【図１１】本発明の実施の形態２における携帯電話端末の音声出力制御手段の処理手順を示す第３のフローチャート
【図１２】本発明の実施の形態２における携帯電話端末の第１の動作を説明する図
【図１３】本発明の実施の形態２における携帯電話端末の第２の動作を説明する図
【符号の説明】
【０１０５】
１    音声出力装置
２    音声分析手段
３    音声出力制御手段
４    音声出力手段
５    無線通信手段
７    信号切替手段
４１    定型音節保持手段
６１    マイクロホン
６２    スピーカー
９１    信号切替ボタン
９２    オンフックボタン
９３    オフフックボタン
１００，２００    携帯電話端末
２０１    入力音声
２０２    音韻情報
３０２    音声出力指示
３０４    オンフック信号
４０２    出力音声
５０１    送話信号
５０２    受話信号
６１２    マイクロホン出力信号
【手続補正３】
【補正対象書類名】図面
【補正対象項目名】全図
【補正方法】変更
【補正の内容】
【図１】
2007015319.tif 000015
【図２】
2007015319.tif 000016
【図３】
2007015319.tif 000017
【図４】
2007015319.tif 000018
【図５】
2007015319.tif 000019
【図６】
2007015319.tif 000020
【図７】
2007015319.tif 000021
【図８】
2007015319.tif 000022
【図９】
2007015319.tif 000023
【図１０】
2007015319.tif 000024
【図１１】
2007015319.tif 000025
【図１２】
2007015319.tif 000026
【図１３】
2007015319.tif 000027
【国際調査報告】
2007015319.tif 000028
2007015319.tif 000029
2007015319.tif 000030
2007015319.tif 000031